(57)【要約】      （修正有）【課題】弾性部材の全体的な構成強度を高めるスライダー組合せ構造及びその弾性部材を提供する。【解決手段】弾性部材２はスライダ１に配置される。スライダ１は第１の前端係合部１２１、第１の中央係合部１２２及び第１の後端係合部１３１を備える。弾性部材２は中央本体２０、第１の延出体２１及び第２の延出体２２を備える。第１の延出体２１が第１の前端係合部１２１と係合する第２の前端係合部２１１を備え、中央本体２０が第１の中央係合部１２２と係合する第２の中央係合部２０１を備え、第２の延出体２２が第１の後端係合部１３１と係合する第２の後端係合部２２１を備える。第２の中央係合部２０１は中央本体２０から内方へ伸び出し、かつ、中央本体２０の幅Ｗ１と第２の中央係合部２０１の幅Ｗ２とは下記の数式を満たす：（Ｗ１−Ｗ２）／２≧Ｗ２。中央本体２０の構成強度を高めることにより、弾性部材２の全体的な構成強度を高める。【選択図】図１
0003217365.tif 000002
【実用新案登録請求の範囲】
【請求項１】
スライダと、前記スライダに配置される弾性部材と、引き手とを備えるスライダー組合せ構造であって、
前記スライダは、底端摺動体と、第１の前端係合部及び第１の中央係合部を有し前記底端摺動体に対応する頂端摺動体と、第１の後端係合部を有し、前記底端摺動体における１つの末端と前記頂端摺動体における１つの末端との間に連接される側端連接体を有する前記頂端摺動体と、を備え、
前記弾性部材は、前記第１の中央係合部と係合する第２の中央係合部を有する中央本体と、前記第１の前端係合部と係合する第２の前端係合部を有し前記中央本体の一方側から外方へ伸び出す第１の延出体と、前記第１の後端係合部と係合する第２の後端係合部を有し前記中央本体の他方側から外方へ伸び出す第２の延出体と、を備え、
前記引き手は、枢着するように前記スライダと前記弾性部材との間に設けられる枢着部を有し、
また、前記第１の前端係合部、前記第１の中央係合部及び前記第１の後端係合部は、前記弾性部材が前記スライダに制限されるように、前記第２の前端係合部、前記第２の中央係合部及び前記第２の後端係合部と係合し、
また、前記第２の中央係合部は前記中央本体から内方へ伸び出して、
前記中央本体の幅Ｗ１と前記第２の中央係合部の幅Ｗ２とは下記の数式を満たしている
（Ｗ１−Ｗ２）／２≧Ｗ２
ことを特徴とする、スライダー組合せ構造。
【請求項２】
前記頂端摺動体は第１の前端開け口及び第１の中央開け口を有し、前記第１の前端係合部は前記第１の前端開け口から外方へ伸び出し、かつ、前記第１の中央係合部は前記第１の中央開け口から外方へ伸び出し、
前記第１の延出体は第２の前端開け口を有し、前記中央本体は第２の中央開け口を有し、前記第２の前端係合部は前記第２の前端開け口であり、前記第２の中央係合部は前記第２の中央開け口から内方へ伸び出し、
前記第１の延出体における１つの末端は前記第１の前端開け口を通過して、前記第１の前端係合部は前記第２の前端開け口を通過して前記第２の前端開け口と互いに係止し、前記第２の中央係合部は前記第１の中央開け口を通過して前記第１の中央係合部と当接し、
前記側端連接体は前記第２の延出体を収納するための制限空間を有し、前記第１の後端係合部は前記制限空間内に形成される位置決め溝であり、前記第２の延出体の前記第２の後端係合部は前記制限空間の前記位置決め溝内に挿入して前記位置決め溝と互いに係止し、
また、前記第２の中央係合部は前記中央本体における中央位置に配置され、前記中央本体は前記第２の中央係合部により分離される２つのサイドフレームを備え、かつ前記サイドフレーム毎の幅は前記第２の中央係合部の幅の以上である、ことを特徴とする請求項１に記載のスライダー組合せ構造。
【請求項３】
前記底端摺動体の外縁に、２つの第１の傾斜ガイド面が前記側端連接体おける２つの対向する側端とそれぞれ隣り合うように設けられ、前記頂端摺動体の外縁に、２つの第２の傾斜ガイド面が前記側端連接体における２つの対向する側端とそれぞれ隣り合うように設けられ、
また、２つの前記第１の傾斜ガイド面は２つの前記第２の傾斜ガイド面のそれぞれと対向するように形成され、
前記第１の中央係合部は、第１の左側内面と、前記第１の左側内面に対応する第１の右側内面と、前記第１の左側内面と隣接する第２の左側内面と、前記第２の左側内面に対応し前記第１の右側内面と隣接する第２の右側内面と、前記第２の左側内面と前記第２の右側内面との間が連接される前側内面と、を備え、
前記第１の中央係合部は、前記第１の左側内面と前記第１の右側内面との間に形成され前記第１の中央開け口と連通する第１の収納空間と、第２の左側内面と前記第２の右側内面と前記前側内面との間に形成され前記第１の収納空間と連通する第２の収納空間と、を備え、
前記第２の中央係合部は前記第１の収納空間と前記第２の収納空間とを通過して
前記第１の収納空間内に位置される前記第２の中央係合部の一部の体積は前記第２の収納空間内に位置される前記第２の中央係合部の他の一部の体積よりも大きくまたは小さく形成され、
前記中央本体は、前記第２の中央係合部により分離される２つのサイドフレームを備え、２つの前記サイドフレームにおける一方の幅は前記第２の中央係合部の幅の以上である、ことを特徴とする請求項２に記載のスライダー組合せ構造。
【請求項４】
スライダと、前記スライダに配置される弾性部材と、引き手とを備えるスライダー組合せ構造であって、
前記スライダは第１の前端係合部、第１の中央係合部及び第１の後端係合部を備え、
前記弾性部材は、前記第１の前端係合部と係合する第２の前端係合部と、前記第１の中央係合部と係合する第２の中央係合部と、前記第１の後端係合部と係合する第２の後端係合部と、を備え、
前記引き手は、枢着するように前記スライダと前記弾性部材との間に設けられる枢着部を有し、
前記第２の中央係合部は前記弾性部材の前記中央本体から内方へ伸び出し、前記中央本体の幅Ｗ１と前記第２の中央係合部の幅Ｗ２は下記の数式を満たす、
（Ｗ１−Ｗ２）／２≧Ｗ２
ことを特徴とするスライダー組合せ構造。
【請求項５】
前記スライダは、底端摺動体と、前記底端摺動体と対応する頂端摺動体と、前記底端摺動体における１つの末端と前記頂端摺動体における１つの末端との間に連接される側端連接体と、を備え、
前記第１の前端係合部及び前記第１の中央係合部はいずれも前記頂端摺動体に設けられ、かつ、前記第１の後端係合部は前記側端連接体に設けられ、
前記弾性部材は前記中央本体の一方の側端から外方へ伸び出す第１の延出体と、前記中央本体の他方の側端から外方へ伸び出す第２の延出体を有し、
前記第２の前端係合部は前記第１の延出体に設けられ、前記第２の中央係合部は前記中央本体に設けられ、前記第２の後端係合部は前記第２の延出体に設けられる、ことを特徴とする請求項４に記載のスライダー組合せ構造。
【請求項６】
前記頂端摺動体は第１の前端開け口及び第１の中央開け口を備え、
前記第１の前端係合部は前記第１の前端開け口から外方へ伸び出し、前記第１の中央係合部は前記第１の中央開け口から内方へ伸び出し、
前記第１の延出体は第２の前端開け口を有し、前記中央本体は第２の中央開け口を有し、前記第２の前端係合部は前記第２の前端開け口であり、前記第２の中央係合部は前記第２の中央開け口から内方へ伸び出し、
また、前記第１の延出体における１つの末端が前記第１の前端開け口を通過して、前記第１の前端係合部が前記第２の前端開け口を通過して前記第２の前端開け口と互いに係止し、かつ、前記第２の中央係合部が前記第１の中央開け口を通過して前記第１の中央係合部に当接し、
前記側端連接体には前記第２の延出体を収納するための制限空間が設けられ、前記第１の後端係合部は前記制限空間内に形成される位置決め溝であり、かつ、前記第２の延出体の前記第２の後端係合部が前記制限空間の前記位置決め溝内に挿入し前記位置決め溝と互いに係止し、
前記第２の中央係合部が前記中央本体における中央位置に配置され、前記中央本体は前記第２の中央係合部により分離される２つのサイドフレームを有し、かつ、前記サイドフレーム毎の幅は前記第２の中央係合部の幅の以上である、ことを特徴とする請求項５に記載のスライダー組合せ構造。
【請求項７】
前記底端摺動体の外縁に、２つの第１の傾斜ガイド面が前記側端連接体における２つの対向する側端とそれぞれ隣り合うように設けられ、前記頂端摺動体の外縁に、２つの第２の傾斜ガイド面が前記側端連接体における２つの対向する側端とそれぞれ隣り合うように設けられ、
２つの前記第１の傾斜ガイド面は２つの前記第２の傾斜ガイド面のそれぞれと対向するように形成され、
前記第１の中央係合部は、第１の左側内面と、前記第１の左側内面と対応する第１の右側内面と、前記第１の左側内面と隣接する第２の左側内面と、前記第２の左側内面と対応し前記第１の右側内面と隣接する第２の右側内面と、前記第２の左側内面と前記第２の右側内面との間に連接される前側内面と、を備え、
前記第１の中央係合部は、前記第１の左側内面と前記第１の右側内面との間に形成され前記第１の中央開け口と連通する第１の収納空間と、前記第２の左側内面と前記第２の右側内面と前記前側内面との間に形成され前記第１の収納空間と連通する第２の収納空間と、を備え、
前記第２の中央係合部は前記第1の収納空間と前記第２の収納空間とを通過して、
前記第１の収納空間内に位置される前記第２の中央係合部の一部の体積は前記第２の収納空間内に位置される前記第２の中央係合部の他の一部の体積よりも小さくまたは大きく形成され、
また、前記中央本体は前記第２の中央係合部により分離される２つのサイドフレームを備え、２つの前記サイドフレームにおける一方の幅は前記第２の中央係合部の幅の以上である、ことを特徴とする請求項６に記載のスライダー組合せ構造。
【請求項８】
第１の前端係合部、第１の中央係合部、及び第１の後端係合部を備えるスライダに配置される弾性部材であって、
中央本体と、
前記中央本体における一方の側端から外方へ伸び出す第１の延出体と、
前記中央本体における他方の側端から外方へ伸び出す第２の延出体と、を備え、
前記第１の延出体は、前記第１の前端係合部と係合する第２の前端係合部を備え、前記中央本体は前記第１の中央係合部と係合する第２の中央係合部を備え、前記第２の延出体は前記第１の後端係合部と係合する第２の後端係合部を備え、
また、前記第２の中央係合部は前記中央本体から内方へ伸び出し、
前記中央本体の幅Ｗ１と前記第２の中央係合部の幅Ｗ２とは下記の数式を満たす
（Ｗ１−Ｗ２）／２≧Ｗ２
ことを特徴とする弾性部材。
【請求項９】
前記第１の延出体は第２の前端開け口を備え、前記中央本体は第２の中央開け口を備え、前記第２の前端係合部は前記第２の前端開け口であり、前記第２の中央係合部は前記第２の中央開け口から内方へ伸び出し、
前記第２の中央係合部は前記中央本体における中央位置に配置され、前記中央本体は前記第２の中央係合部により分離される２つのサイドフレームを備え、前記サイドフレーム毎の幅は前記第２の中央係合部の幅の以上である、ことを特徴とする請求項８に記載の弾性部材。
【請求項１０】
前記中央本体は前記第２の中央係合部により分離される２つのサイドフレームを備え、前記サイドフレーム毎の幅は前記第２の中央係合部の幅の以上である、ことを特徴とする請求項８に記載の弾性部材。
【考案の詳細な説明】
【技術分野】
【０００１】
本考案は組合せ構造及びその弾性部材に関し、特にスライダー組合せ構造及びその弾性部材に関する。
【背景技術】
【０００２】
通常の服装の基本噛合エレメントはボタン又はファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテープに係合されファスナー構造による往復引張りの連結エレメントとされることで、ファスナー構造を服飾及びアクセサリーに用いることがさらに普及しつつある。しかし、従来の技術においてスライダーが使用する弾性片の構造強度には改善する余裕がある。
【考案の概要】
【考案が解決しようとする課題】
【０００３】
本考案が解決しようとする技術問題は、従来技術のデメリットについてスライダー組合せ構造及びその弾性部材を提供することである。
【課題を解決するための手段】
【０００４】
上記の技術問題を解決するために、本考案に採られる１つの実施形態は、スライダ、弾性部材及び引き手を備えるスライダー組合せ構造を提供する。前記スライダは第１の前端係合部、第１の中央係合部及び第１の後端係合部を備える。前記弾性部材は前記スライダに配置される。中でも、前記弾性部材が前記第１の前端係合部と係合する第２の前端係合部と、前記第１の中央係合部と係合する第２の中央係合部と、前記第１の後端係合部と係合する第２の後端係合部と、を備える。前記引き手における枢着部は枢着するように前記スライダと前記弾性部材との間に設けられる。中でも、前記第２の中央係合部が前記弾性部材における中央本体から内方へ伸び出す。かつ、前記中央本体の幅Ｗ１と前記第２の中央係合部の幅Ｗ２は下記の数式を満たす：（Ｗ１−Ｗ２）／２≧Ｗ２。
【０００５】
上記の技術問題を解決するために、本考案に採られる他の実施形態は、弾性部材を提供する。前記弾性部材はスライダに配置される。前記スライダは第１の前端係合部、第１の中央係合部及び第１の後端係合部を備える。前記弾性部材は、中央本体、第１の延出体及び第２の延出体を含む。前記第１の延出体が前記中央本体の一方の側端から外方へ伸び出す。前記第２の延出体が前記中央本体の他端から外方へ伸び出す。中でも、前記第１の延出体が前記第１の前端係合部と係合する第２の前端係合部を備え、前記中央本体が前記第１の中央係合部と係合する第２の中央係合部を備え、かつ、前記第２の延出体が前記第１の後端係合部と係合する第２の後端係合部を備える。中でも、前記第２の中央係合部が前記中央本体から内方へ伸び出し、かつ、前記中央本体の幅Ｗ１と前記第２の中央係合部の幅Ｗ２は下記の数式を満たす：（Ｗ１−Ｗ２）／２≧Ｗ２。
【考案の効果】
【０００６】
本考案が果たせる１つの有益な効果としては、本考案が提供するスライダー組合せ構造及びその弾性部材が、「前記第１の延出体は前記第１の前端係合部と係合する第２の前端係合部を備え、前記中央本体は前記第１の中央係合部と係合する第２の中央係合部を備え、かつ、前記第２の延出体は前記第１の後端係合部と係合する第２の後端係合部を備える」、または「前記第２の中央係合部が前記中央本体から内方へ伸び出し、かつ、前記中央本体の幅Ｗ１と前記第２の中央係合部の幅Ｗ２とは下記の数式を満たす：（Ｗ１−Ｗ２）／２≧Ｗ２」という技術方案により、前記中央本体の構成強度を高めることにより、さらに前記弾性部材の全体的な構成強度を高めることになるものである。
【図面の簡単な説明】
【０００７】
【図１】本考案の１つの実施形態におけるスライダー組合せ構造を示す分解模式図である。
【図２】本考案の１つの実施形態におけるスライダー組合せ構造の部分を示す分解模式図である。
【図３】本考案の１つの実施形態におけるスライダー組合せ構造を示す組立模式図である。
【図４】本考案の１つの実施形態におけるスライダー組合せ構造のスライダを示す上面模式図である。
【図５】本考案の１つの実施形態におけるスライダー組合せ構造のスライダを示す側面断面模式図である。
【図６】本考案の１つの実施形態におけるスライダー組合せ構造の弾性部材を示す上面模式図である。
【図７】本考案の１つの実施形態におけるスライダー組合せ構造の弾性部材を示す側面断面模式図である。
【図８】本考案の１つの実施形態におけるスライダー組合せ構造の引き手を示す上面模式図である。
【図９】本考案の１つの実施形態におけるスライダー組合せ構造の引き手を示す側面断面模式図である。
【図１０】本考案の１つの実施形態におけるスライダー組合せ構造が引き手が平らかに敷設された場合を示す側面断面模式図である。
【図１１】本考案の１つの実施形態におけるスライダー組合せ構造が引き手が直立された場合を示す側面断面模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
以下の説明を図１ないし図１０に示すものと共に参照する。本考案の１つの実施形態においてスライダ１、弾性部材２及び引き手３を備えるスライダー組合せ構造Ｚを提供する。弾性部材２はスライダ１に配置され、かつ、引き手３の枢着部３０は枢着するようにスライダ１と弾性部材２との間に配置される。
【００１０】
まず、図１、図４及び図５に示すように、スライダ１は底端摺動体１１と、底端摺動体１１と対応する頂端摺動体１２と、底端摺動体１１における１つの末端と頂端摺動体１２における１つの末端との間に連接される頂端摺動体１３と、を備える。そのため、底端摺動体１１、頂端摺動体１３及び頂端摺動体１２は実際的にＵ字状の構成となるように順番に排列される。そして、頂端摺動体１２は第１の前端係合部１２１及び第１の中央係合部１２２を備え、頂端摺動体１３は第１の後端係合部１３１を備えている。
【００１１】
また、図１、図６及び図７に示すように、弾性部材２は中央本体２０と、中央本体２０における一方の側端から外方へ伸び出す第１の延出体２１と、中央本体２０における他の側端から外方へ伸び出す第２の延出体２２と、を備える。そして、第１の延出体２１は第１の前端係合部１２１と係合するための第２の前端係合部２１１を備え、中央本体２０は第１の中央係合部１２２と係合するための第２の中央係合部２０１を備え、第２の延出体２２は第１の後端係合部１３１と係合するための第２の後端係合部２２１を備えている。さらに言えば、図１、図３及び図１０に示すように、第１の前端係合部１２１、第１の中央係合部１２２及び第１の後端係合部１３１は、弾性部材２がスライダ１に制限されるように、第２の前端係合部２１１、第２の中央係合部２０１及び第２の後端係合部２２１とそれぞれ係合する。
【００１２】
注目に値するのは、図１、図６及び図７に示すように、第２の中央係合部２０１は中央本体２０から内方へ伸び出し（つまり、第２の中央係合部２０１が中央本体２０からスライダ１に対向する方向へ伸び出す）、かつ、中央本体２０の幅Ｗ１と第２の中央係合部２０１の幅Ｗ２とは下記の数式を満たす：（Ｗ１−Ｗ２）／２≧Ｗ２。それにより、中央本体２０の構成強度を高めることにより、さらに弾性部材２の全体的な構成強度を高めることができる。
【００１３】
さらに言えば、図１、図４（または図５）及び図６（または図７）に示すように、頂端摺動体１２は第１の前端開け口１２０１及び第１の中央開け口１２０２を備えている。第１の前端係合部１２１が第１の前端開け口１２０１から外方へ伸び出し、第１の中央係合部１２２が第１の中央開け口１２０２から外方へ伸び出す（つまり、第１の中央係合部１２２が第１の中央開け口１２０２からスライダ１から離れる方向へ伸び出す）。そして、第１の延出体２１が第２の前端開け口２１００を備え、中央本体２０が第２の中央開け口２０００を備える。第２の前端係合部２１１は第２の前端開け口２１００であってもよく、第２の中央係合部２０１が第２の中央開け口２０００から内方へ伸び出す（つまり、第２の中央係合部２０１が第２の中央開け口２０００からスライダ１と対向する方向へ伸び出す）。また、頂端摺動体１３には第２の延出体２２を収納ための制限空間１３００が設けられ、第１の後端係合部１３１は制限空間１３００内に形成される位置決め溝１３００１であってもよい。
【００１４】
さらに言えば、図１、図４（または図５）、図６（または図７）及び図１０（または図１１）に示すように、第１の延出体２１における１つの末端は第１の前端開け口１２０１に挿入して通過すると共に、第１の前端係合部１２１が第２の前端開け口２１００に挿入して通過して第２の前端開け口２１００と互いに係止するように形成される。そして、第２の中央係合部２０１は第１の中央開け口１２０２に挿入して通過し第１の中央係合部１２２に当接し（図１１に示すように）、かつ、第２の延出体２２の第２の後端係合部２２１が制限空間１３００の位置決め溝１３００１内に挿入して位置決め溝１３００１と互いに係止するように形成される。
【００１５】
注目に値するのは、図１に示すように、底端摺動体１１の外縁に、頂端摺動体１３の２つの対向する側端とそれぞれ隣り合うように設けられる２つの第１の傾斜ガイド面１１００が備えられ、頂端摺動体１２の外縁に、頂端摺動体１３の２つの対向する側端とそれぞれ隣り合うように設けられる第２の傾斜ガイド面１２００が備えられている。かつ、２つの第１の傾斜ガイド面１１００は２つの第２の傾斜ガイド面１２００とそれぞれ対向するように形成される。それにより、本考案は対向する第１の傾斜ガイド面１１００と第２の傾斜ガイド面１２００との合わせを介して、スライダー組合せ構造Ｚがジッパーストリップ（図示なし）を摺動するときの滑らかさを高めることができる。
【００１６】
注目に値するのは、図４及び図５に示すように、第１の中央係合部１２２は、第１の左側内面１２２１と、第１の左側内面１２２１と対応する第１の右側内面１２２２と、第１の左側内面１２２１と隣接する第２の左側内面１２２３と第２の左側内面１２２３と対応して第１の右側内面１２２２と隣接する第２の右側内面１２２４と、第２の左側内面１２２３と第２の右側内面１２２４との間に連接される前側内面１２２５と、を備える。そして、第１の中央係合部１２２は第１の収納空間Ｒ１及び第２の収納空間Ｒ２を備え、第１の収納空間Ｒ１の幅は第２の収納空間Ｒ２の幅よりも大きくされる。また、第１の収納空間Ｒ１は第１の左側内面１２２１と第１の右側内面１２２２との間に第１の中央開け口１２０２と連通するように形成され、第２の収納空間Ｒ２は第２の左側内面１２２３と第２の右側内面１２２４と前側内面１２２５との間に第１の収納空間Ｒ１と連通するように形成されている。
【００１７】
上述に示すように、第２の中央係合部２０１が第１の収納空間Ｒ１と第２の収納空間Ｒ２とを通過するように形成されている。例えば、図５及び図１０に示すように、引き手３が上に移動されなく水平線に平行する状態に呈する状態である場合（すなわち、引き手３が平らかに敷置された状態である）、第１の収納空間Ｒ１内に位置された第２の中央係合部２０１の一部の体積は第２の収納空間Ｒ２内に位置される第２の中央係合部２０１の他の一部の体積よりも小さくされている。図５及び図１１に示すように、引き手３が上に移動されて水平線と垂直する状態に呈する場合（すなわち、引き手３が直立する場合）、第１の収納空間Ｒ１内に位置される第２の中央係合部２０１の一部の体積が第２の収納空間Ｒ２内に位置される第２の中央係合部２０１の他の一部の体積よりも大きくされる。つまり、第１の収納空間Ｒ１内に位置される第２の中央係合部２０１の一部の体積は第２の収納空間Ｒ２内に位置される第２の中央係合部２０１の他の一部の体積よりも小さく（図１０に示すように）または大きく（図１１に示すように）されるようになる。
【００１８】
特に説明するのは、図１及び図６に示すように、中央本体２０は第２の中央係合部２０１により分離される２つのサイドフレーム２０２を備え、かつ、２つのサイドフレーム２０２における一方の幅Ｗ３は第２の中央係合部２０１の幅Ｗ２の以上となる。例えば、第２の中央係合部２０１は中央本体２０における中央位置に配置され、かつ、サイドフレーム２０２毎の幅Ｗ３は第２の中央係合部２０１の幅Ｗ２の以上となる。例えば、サイドフレーム２０２の幅Ｗ３は１．３±０．０５  ｍｍであってもよく、かつ、第２の中央係合部２０１の幅Ｗ２は１．２±０．０５  ｍｍであってもよい。それにより、中央本体２０の構成強度を高めることにより、さらに弾性部材２の全体的な構成強度を高めることができる。
【００１９】
本考案が果たせる１つの有益な効果としては、本考案が提供するスライダー組合せ構造Ｚ及びその弾性部材２が、「前記第１の延出体２１は前記第１の前端係合部１２１と係合する第２の前端係合部２１１を備え、前記中央本体２０は前記第１の中央係合部１２２と係合する第２の中央係合部２０１を備え、かつ、前記第２の延出体２２は前記第１の後端係合部１３１と係合する第２の後端係合部２２１を備える」、または「前記第２の中央係合部２０１が前記中央本体２０から内方へ伸び出し、かつ、前記中央本体２０の幅Ｗ１と前記第２の中央係合部２０１の幅Ｗ２とは下記の数式を満たす：（Ｗ１−Ｗ２）／２≧Ｗ２」という技術方案により、前記中央本体２０の構成強度を高めることにより、さらに前記弾性部材の全体的な構成強度を高めることになるものである。
【００２０】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００２１】
Ｚ          スライダー組合せ構造
１          スライダ
１１        底端摺動体
１１００    第１の傾斜ガイド面
１２        頂端摺動体
１２００    第２の傾斜ガイド面
１２０１    第１の前端開け口
１２０２    第１の中央開け口
１２１      第１の前端係合部
１２２      第１の中央係合部
１２２１    第１の左側内面
１２２２    第１の右側内面
１２２３    第２の左側内面
１２２４    第２の右側内面
１２２５    前側内面
Ｒ１        第１の収納空間
Ｒ２        第２の収納空間
１３        頂端摺動体
１３００    制限空間
１３００１  位置決め溝
１３１      第１の後端係合部
２          弾性部材
２０        中央本体
２０００    第２の中央開け口
２０１      第２の中央係合部
２０２      サイドフレーム
２１        第１の延出体
２１００    第２の前端開け口
２１１      第２の前端係合部
２２        第２の延出体
２２１      第２の後端係合部
３          引き手
３０        枢着部
Ｗ１        幅
Ｗ２        幅
Ｗ３        幅
【図１】
0003217365.tif 000003
【図２】
0003217365.tif 000004
【図３】
0003217365.tif 000005
【図４】
0003217365.tif 000006
【図５】
0003217365.tif 000007
【図６】
0003217365.tif 000008
【図７】
0003217365.tif 000009
【図８】
0003217365.tif 000010
【図９】
0003217365.tif 000011
【図１０】
0003217365.tif 000012
【図１１】
0003217365.tif 000013